(57)【要約】【課題】着色印刷層の改良により、光透過濃度（不透過度）が十分な適正を有し、視覚効果，装飾効果の向上した簡便な構成のカードを提案する。【解決手段】１枚または複数枚の無色透明なシートからなるコアシートと、その両面に無色透明なシートからなるオーバーシートを備えてなるカードであって、前記コアシートと表側オーバーシートの間に、白色の光反射印刷層が配置され、前記コアシートと裏側オーバーシートの間に、透光性を有する着色印刷層が配置されていることを特徴とする。【選択図】図１
2019055500.tif 000002
【特許請求の範囲】
【請求項１】
１枚または複数枚の無色透明なシートからなるコアシートと、その両面に無色透明なシートからなるオーバーシートを備えてなるカードであって、
前記コアシートと表側オーバーシートの間に、白色の光反射層が配置され、
前記コアシートと裏側オーバーシートの間に、透光性を有する着色印刷層が配置されていることを特徴とするカード。
【請求項２】
１枚または複数枚の無色透明な透明シートと不透明な白色シートからなるコアシートと、その両面に透明シートからなるオーバーシートを備えてなるカードであって、
表側オーバーシート側に、前記コアシートを構成する不透明な白色シートが配置され、
前記コアシートと裏側オーバーシートの間に、透光性を有する着色印刷層が配置されていることを特徴とするカード。
【請求項３】
表側オーバーシートの表面側に磁気テープが埋設され、その上に磁気テープ隠蔽用の隠蔽印刷層が配置されてなることを特徴とする請求項１または２に記載のカード。
【発明の詳細な説明】
【技術分野】
【０００１】
本発明は、定期券，乗車券，入場券，プリペイドカード，クレジットカード，キャッシュカード，ポイントカード，各種有価証券，身分証明書等の情報記録媒体のうち、プラスチックシートを主材料とするカード型媒体に関し、カードの端面が着色して見えるカードに関する。
【背景技術】
【０００２】
ＪＩＳ  Ｘ  ６３０１（２００５）において、カードの材質，構成，特性，寸法など，識別カード（以下、ＩＤカード又は単にカードという）に要求される物理的特性について規定されており、ＪＩＳ  Ｘ  ６３０５−１（２０１０）では、カードの特性試験方法について規定されている。
【０００３】
機械可読カードの光透過濃度（ＯＤ）では、光学的に透明でも良いとされる特定領域以外のカード上の領域全てにおいては、要求される不透過度が規定されており、波長４５０〜９５０ｎｍでは光透過濃度が１．３より大きく、９５０〜１０００ｎｍでは光透過濃度が１．１より大きいものとされている。
【０００４】
従来のカードは、白色顔料を練り込んでシート成形された白色シートや、白色以外の着色剤を樹脂に練り込んでシート成形された着色シートがコアシートとして用いられ、その表裏に透明なオーバーシートが積層されてなる構成が一般的である。
【０００５】
一方、カードの周囲の側面の少なくとも一部に着色部を有しているカードが開示されている（例えば、特許文献１，２参照）。
【０００６】
更には、特許文献１，２におけるカードの周囲の側面を別途着色する工程を省略し、生産性の向上，コストアップの抑制を図った改良案として、コア層およびオーバーシート層に白色シートや着色シートを用いることなく、カード端面が着色したように見えるカードを提供することを実現した提案が公知である（特許文献３参照）。
【０００７】
特許文献３によるカードは、透明なシートからなるコア層の両面に透明なシートからなるオーバーシート層を備え、さらに、少なくとも１層の透明着色印刷層が積層されている積層体を用いた構成とすることにより、カードに入射した光の一部が透明着色印刷層を透過し、一部が反射し、カードの端面が透明着色印刷層の色に応じた色により着色したように見えるという効果を奏する。また、コア層に透明なシートを用いるので、着色シートや白色シートを用いた場合に比べ、シートの原価も低減できる、とされている。
【先行技術文献】
【特許文献】
【０００８】
【特許文献１】特開平１１−３４５４６号公報
【特許文献２】特開２０００−３０１８７１号公報
【特許文献３】特許第６０６９９３０号
【発明の概要】
【発明が解決しようとする課題】
【０００９】
特許文献３は、コア層の両面に有機顔料を含有する透明（透光性）着色印刷層を積層した構成であり、インキ組成物の処方，色相によっては、ＪＩＳ  Ｘ  ６３０１で要求される光透過濃度（ＯＤ＞１．１あるいは１．３）を満たさない実施例データも散見される。
【００１０】
本発明では、着色印刷層の改良により、光透過濃度（不透過度）が十分な適正を有し、視覚効果，装飾効果の向上した簡便な構成のカードを提案することを目的とする。
【課題を解決するための手段】
【００１１】
本発明によるカードは、
１枚または複数枚の無色透明なシートからなるコアシートと、その両面に無色透明なシートからなるオーバーシートを備えてなるカードであって、
前記コアシートと表側オーバーシートの間に白色の光反射印刷層が配置され、
前記コアシートと裏側オーバーシートの間に、透光性を有する着色印刷層が配置されていることを特徴とする。
【００１２】
本発明によるカードの別形態では、
１枚または複数枚の無色透明な透明シートと不透明な白色シートからなるコアシートと、その両面に無色透明なシートからなるオーバーシートを備えてなるカードであって、
表側オーバーシート側に、前記コアシートを構成する不透明な白色シートが配置され、
前記コアシートと裏側オーバーシートの間に、透光性を有する着色印刷層が配置されていることを特徴とする。
【発明の効果】
【００１３】
カードに入射した光の一部が裏側オーバーシート側に形成された着色印刷層を透過し、コアシート内で伝播し、カード端面が着色印刷層の色相に応じた色で着色されたように見える上に、表側に光反射印刷層もしくは白色シートを設けることで、光透過濃度（不透過度）が十分な適正を有すると共に、コアシート内に入射した光を反射してカード端面の発色を改善し、視覚効果，装飾効果の向上した簡便な構成のカードが提供される。
【図面の簡単な説明】
【００１４】
【図１】本発明の実施形態に係るカードを示す断面図。
【図２】本発明の実施形態に係るカードを示す断面図。
【図３】本発明の実施形態に係るカードを示す断面図。
【図４】本発明の実施形態に係るカードを示す断面図。
【発明を実施するための形態】
【００１５】
以下、本発明の実施形態について説明するが、本発明は以下の説明・図示によって限定されるものではない。
【００１６】
＜実施形態１＞
図１は、本発明の第１実施形態によるカード１００を示す断面図である。
【００１７】
３枚の無色透明なシート１１〜１３からなるコアシート１０と、その両面に無色透明なシート２０，３０からなるオーバーシートを備えてなり、
コアシート１０と表側オーバーシート２０の間に、白色の光反射印刷層４０が配置され、
コアシート１０と裏側オーバーシート３０の間に、透光性を有する着色印刷層５０が配置されてなる層構成である。
【００１８】
本実施形態は、コアシート１０，表側オーバーシート２０，裏側オーバーシート３０が無色透明なシートからなり、コアシート１０の両面に形成（配置）される着色印刷層が、表側が光反射性（非透光性）であり、裏側が着色透明（透光性）であることを要旨とする。
【００１９】
このような積層構成を採用することにより、カード１００を表側から見ると（同図で上から）、カード１００の表面は表側オーバーシート２０を透して光反射印刷層４０の色相として視覚され、カード１００を裏側から見ると（同図で下から）、カード１００の裏面は表側オーバーシート３０を透して着色印刷層５０の色相として視覚される。カード１００の端面から見ると（同図で左右から）、コアシート１０が無色透明であるにも拘らず、光反射印刷層４０、着色印刷層５０の色相であたかもカード端面（コアシート側面）が着色されたかのように見える。
【００２０】
表側の着色印刷層４０は光反射印刷性（非透光性）であるため、カード１００の表側から（表側オーバーシート２０上から）入射する光については、光遮蔽印刷層４０では着色透過する成分は少なく（無く）、反射する成分が多くなり、カード１００を表側から見ると光遮蔽印刷層４０からの反射光の色相で強く視覚する。
【００２１】
裏側の着色印刷層５０は着色透明（透光性）であるため、カード１００の裏側から（裏側オーバーシート３０上から）入射する光については、着色印刷層５０では着色透過する成分が多くなり、コアシート１０内を通過あるいは伝播する光，光反射印刷層４０に至り反射する光，着色印刷層５０を再度通過して裏側オーバーシート３０から出射する光など種々の挙動を示すことになる。カード１００を裏側から見た場合に視覚される色相は、着色印刷層５０の通過に伴う着色，光反射印刷層４０からの反射に伴う着色が混色した色相で視覚される。
【００２２】
＜実施形態２＞
図２は、本発明の第２実施形態によるカード１００を示す断面図である。
２枚の無色透明な透明シート１１，１３と不透明な白色シート１５からなるコアシート１０と、その両面に無色透明なシートからなるオーバーシートを備えてなり、
表側オーバーシート２０側に、前記コアシート１０を構成する不透明な白色シート１５が配置され、
前記コアシート１０と裏側オーバーシート３０の間に、透光性を有する着色印刷層５０が配置されてなる層構成である。
【００２３】
本実施形態は、表側オーバーシート２０，裏側オーバーシート３０が無色透明なシートからなり、コアシート１０の両面に形成（配置）される着色印刷層のうち、表側の光反射印刷層の機能を、コアシート１０を構成する一部のシートに持たせるため、表側オーバーシート２０と接合される最外層を白色シート１５としたコアシート１０とし、裏側の着色印刷層が着色透明（透光性）であることを要旨とする。
【００２４】
実施形態１，２は本発明の基本的構成であり、種々のオプション（記録層，絵柄層，保護層など）を加えたカードの形態（磁気カード，ＩＣカード）の変更に伴う仕様の追加・改良に応じた各種の実施形態を以下に説明する。
【００２５】
＜実施形態３＞
図３は、本発明の第３実施形態によるカード１００を示す断面図である。
【００２６】
本実施形態は、図１に示すカードに、磁気記録層を形成した磁気カードの形態とする場合の実施形態であり、表側オーバーシート２０の表面側に磁気テープ６０が埋設され、その上に磁気テープを隠蔽する隠蔽層７０が配置されてなる構成である。
【００２７】
＜実施形態４＞
図４は、本発明の第３実施形態によるカード１００を示す断面図である。
【００２８】
本実施形態は、図２に示すカードに、磁気記録層を形成した磁気カードの形態とする場合の実施形態であり、表側オーバーシート２０の表面側に磁気テープ６０が埋設され、その上に磁気テープを隠蔽する隠蔽層７０が配置されてなる構成である。
【００２９】
以上の実施形態に共通して、本発明のカードを構成する好適な部材について説明する。
【００３０】
コアシートを構成する透明シート材料では、熱可塑性高分子樹脂、熱硬化性高分子樹脂、および反応性高分子樹脂を用いることができる。熱可塑性高分子樹脂としては、例えば、ＰＶＣ、酢酸ビニル樹脂、ポリビニルアルコール樹脂、ビニルアセタール樹脂、ビニルカルバゾール樹脂、塩化ビニリデン樹脂、ポリエチレン樹脂、ポリプロピレン樹脂、スチロール樹脂、メタクリル樹脂、ポリアミド樹脂、ポリカーボネート樹脂、アセタール樹脂、塩化エーテル樹脂、フッ素樹脂、ポリウレタン樹脂などの単体または共重合体を使用することができる。熱硬化性高分子樹脂、および反応性高分子樹脂としては、例えば、フェノール樹脂、ユリア樹脂、メラミン樹脂、不飽和ポリエステル樹脂、エポキシ樹脂、反応性ポリウレタン樹脂などの単体または共重合体を用いることができる。
【００３１】
白色シート１５，光反射印刷層４０，着色印刷層５０，隠蔽層７０で用いられる着色材料としては、着色層に要求される光学特性（透明／不透明）に応じて各種が選択される。着色顔料を用いる場合、金属粉顔料、マイカ、酸化鉄系顔料、複合酸鉄物系顔料等の酸化金属、紺青等の無機顔料および不溶性アゾ顔料、フタロシアニン顔料、昼光蛍光顔料、紫外線蛍光体、縮合多環系顔料等の有機顔料単体または混合体を用いることができる。
【００３２】
着色顔料の大きさは平均粒子径が０．１〜１０μｍ程度のものを用いる。顔料の粒子径があまり大きいと、表面に凹凸が生じやすく、情報記録媒体の表面平滑性に影響を及ぼすことがある。また、粒子径が小さすぎると顔料の分散が難しく、顔料粒子同士が凝集を起こすことがある。着色染料を使用する場合、反応性染料、蛍光増白剤染料、多環系染料等を使用する。着色顔料および着色染料の分散溶解方法としては、高分子樹脂の溶融体または溶液体に着色顔料または着色染料を加え、分散機にて分散・溶解させる方法がある。分散機としては、ニーダー、混練機、三本ロールミル、ボールミル、アトライター、サンドミル等がある。
【００３３】
透明オーバーシート２０，３０としては、ＰＥＴ、ＰＶＣ、ポリカーボネート、ポリメタクリル酸メチル、ポリスチレン、ポリ乳酸、ポリカプロラクトン、ポリ（３ヒドロキシブチレート−３ヒドロキシヴァリレート）、ポリビニルアルコール等の合成樹脂類、天然樹脂類等を用いることができる。
【００３４】
＜実施例１＞
表側オーバーシートの表面側（隠蔽層）：銀色の無機顔料を含むインキ
表側オーバーシート：厚さ０．１００ｍｍの延伸ＰＥＴ
表側オーバーシートのコアシート側（光遮蔽印刷層）：白色の無機顔料を含むインキ
コアシート：
透明シート１：厚さ０．２００ｍｍのＰＥＴ−Ｇ
透明シート２：厚さ０．２００ｍｍのＰＥＴ−Ｇ
透明シート３：厚さ０．２００ｍｍのＰＥＴ−Ｇ
裏側オーバーシートのコアシート側（着色印刷層）：赤色インキ
裏側オーバーシート：厚さ０．１００ｍｍの延伸ＰＥＴ
以上の構成部材（断面図で上側から列挙した順に配置される層構成となる。以下の実施例，比較例でも同じ。）をラミネートプレスにより、総厚０．７６ｍｍに形成〜抜き加工によりカード成形した。
【００３５】
隠蔽層，光遮蔽印刷層，着色印刷層は、スクリーン印刷法により膜厚２μｍで印刷形成した。
【００３６】
＜実施例２＞
表側オーバーシートの表面側（隠蔽層）：銀色の無機顔料を含むインキ
表側オーバーシート：厚さ０．１００ｍｍの延伸ＰＥＴ
コアシート：
着色シート：厚さ０．２００ｍｍのＰＥＴ−Ｇからなる白色透明シート
透明シート１：厚さ０．２００ｍｍのＰＥＴ−Ｇ
透明シート２：厚さ０．２００ｍｍのＰＥＴ−Ｇ
裏側オーバーシートのコアシート側（着色印刷層）：赤色インキ
裏側オーバーシート：厚さ０．１００ｍｍの延伸ＰＥＴ
以上の構成部材をラミネートプレスにより、総厚０．７６ｍｍに形成〜抜き加工によりカード成形した。
【００３７】
隠蔽層，着色印刷層は、スクリーン印刷法により膜厚２μｍで印刷形成した。
【００３８】
＜比較例（特許文献３の従来技術に相当）＞
表側オーバーシート：厚さ０．１００ｍｍの延伸ＰＥＴ
表側オーバーシートのコアシート側（着色印刷層）：赤色インキ
コアシート：
透明シート１：厚さ０．２００ｍｍのＰＥＴ−Ｇ
透明シート２：厚さ０．２００ｍｍのＰＥＴ−Ｇ
透明シート３：厚さ０．２００ｍｍのＰＥＴ−Ｇ
裏側オーバーシートのコアシート側（着色印刷層）：赤色インキ
裏側オーバーシート：厚さ０．１００ｍｍの延伸ＰＥＴ
以上の構成部材をラミネートプレスにより、総厚０．７６ｍｍに形成〜抜き加工によりカード成形した後、ミリング加工によりＩＣモジュール埋設用の凹部を形成して、ＩＣモジュールを埋設した。
【００３９】
隠蔽層，着色印刷層は、スクリーン印刷法により膜厚２μｍで印刷形成した。
【００４０】
実施例１〜４，比較例で得られたカードについて、カード端面（側面）を目視で確認したところ、何れのカードも赤色に着色して見えた。
【００４１】
また、カードの光透過濃度をＪＩＳ  Ｘ６３０１に準じて評価した結果，ＩＣモジュールの目視確認結果を表１に示す。
【００４２】
実施例１〜４では何れも光透過濃度が１．１以上となり、ＪＩＳ  Ｘ６３０１で要求される不透過度の規格を満足していた一方で、比較例では光透過濃度が１．１未満であった。
【００４３】
ＩＣモジュールの裏透けについては、比較例１のカードでは裏面から明確にＩＣモジュールの存在が視認された。
【００４４】
実施例１，２では一部黒く（影となって）見える程度で、実施例３，４では完全に隠蔽され、何れの実施例でもＩＣモジュールの存在は隠蔽されていた。
【００４５】
【表１】
2019055500.tif 000003
【符号の説明】
【００４６】
１００  カード
１０  コアシート
１１，１２，１３  透明シート
１５  白色シート
２０  表側オーバーシート
３０  裏側オーバシート
４０  光反射印刷層（白色）
５０  着色印刷層
６０  磁気テープ
７０  隠蔽層
【図１】
2019055500.tif 000004
【図２】
2019055500.tif 000005
【図３】
2019055500.tif 000006
【図４】
2019055500.tif 000007